(57)【要約】      （修正有）【課題】携帯に便利な流体を充填する管を提供する。【解決手段】管は、管状物１、密封蓋３、密封キャップ５を備え、管状物内部には、流体２を充填し、密封蓋は、加熱溶封方式により、管状物の一方の端口上に密封し、密封キャップは、管状物の他方の端口に組合わせて設置し、凸状フランジを備える。密封蓋上には、刻み目を設置する。密封キャップ上の凸状フランジ５１と、管状物とは、相互に対応する。【選択図】図３
0003170717.tif 000002
【実用新案登録請求の範囲】
【請求項１】
携帯に便利な流体を充填する管物件は、管状物、密封蓋、密封キャップを備え、前記管状物内部には、流体を充填し、前記密封蓋は、加熱溶封方式により、前記管状物の一方の端口上に密封し、前記密封キャップは、前記管状物の他方の端口に組合わせて設置し、凸状フランジを備えることを特徴とする携帯に便利な流体を充填する管物件。
【請求項２】
前記密封蓋上には、刻み目を設置することを特徴とする請求項１に記載の携帯に便利な流体を充填する管物件。
【請求項３】
前記密封キャップ上の凸状フランジと、前記管状物とは、相互に対応することを特徴とする請求項１に記載の携帯に便利な流体を充填する管物件。
【請求項４】
前記密封キャップは、前記管状物の一方の端口の外部に組合わせて設置し、
前記密封キャップ上の凸状フランジは、前記密封キャップの内側に設置し、前記管状物の端口外部と、相互に密封することを特徴とする請求項１に記載の携帯に便利な流体を充填する管物件。
【請求項５】
前記密封キャップは、前記管状物の一方の端口の内部に組合わせて設置し、
前記密封キャップ上の凸状フランジは、前記密封キャップの外側に設置し、前記管状物の端口内部と、相互に対応することを特徴とする請求項１に記載の携帯に便利な流体を充填する管物件。
【考案の詳細な説明】
【技術分野】
【０００１】
本考案は携帯に便利な流体を充填管物件に関し、特に改善型の携帯に便利な流体を充填する管物件に関する。
【背景技術】
【０００２】
本考案の提示前、電子産業のような、或いは美容、メイク直しにおいて皮膚表面などを拭く必要がある場合には、瓶詰めの液体とコットン、スポンジなどの多孔材料を備えるスティクが使用される。液体を充填したボトルを開け、スティク上の多孔材料を液体につければ、これで拭く必要を満たすことができる。
しかし、このような操作はどちらかというと面倒である、多孔材料が液体を多く含み過ぎることもあり、不注意でボトルを倒してしまえば、液体は他のところに流れて行ってしまい、不要なところまで汚してしまう。
【０００３】
従来の液体を充填する管状容器では、管の一端を塞ぎ、反対端は大気と通じる状態とし、塞ぎ口付近の管上には、断裂痕を設置する。該構造では、管の一端は塞がれているため、管内の液体は流出しにくい。使用時には、管のワンポイントカット(カット溝)に力を加えれば、管を折ることができ、こうして折れたところ、或いは反対端から液体を流出させることができる。
上記した構造は、管状物の携帯、輸送、保管を非常に便利にしている。しかし、管状物を折る方式で液体を取り出す必要があるため、大多数の使用者にとっては、便利とはいえない。
すなわち、管を折る際、注意が少しでも不十分であれば、液体が漏れ出してしまい、他の物品を汚損してしまう恐れがある。
【０００４】
これに対して、特許文献１が開示する携帯に便利な液体を充填する管物件は、内部に２種の流体を充填する管物件を備え、フローティングキャップを構成する液体は、管状物の下端管口付近に位置し、しかも管状物内の流体と緊密に接触する。管状物の上端には、密封蓋を備え、密封蓋上には凸状フランジを備える。
凸状フランジと管状物の上端とは、互いに密接する。
【０００５】
上記した構造においては、正常な状態であれば、密封蓋を利用し、管状物の一端を封鎖することができ、該密封蓋上の凸状フランジを利用し、管状物の上端を十分に密封することができる。これにより、管状物内の流体は、流動或いは揮発することはない。密封蓋を開いて大気を管状物に進入させると、管状物内の流体とフローティングキャップとは、流動を生じ、管状物の反対端口からスムーズに流出する。このように上記した構造は、管状物の携帯、輸送、保管、使用ともに非常に便利である。しかも、密封蓋は繰り返し使用が可能であるため、環境に負荷をかけることもない。しかし、管状物内部の流体に損失を及ぼさないよう、管状物の携帯、輸送、保管の面における安全性を保証するため、管状物上端の密封蓋上の凸状フランジと管状物との間は、十分に緊密で、ほとんど「静的密封(Static)」のレベルに達している必要がある。しかし、このような「静的密封」は、管状物の使用においては、非常に不便で、比較的大きな力を加えなければ、密封蓋を開けることはできない。また、管状物内において、フローティングキャップを構成する液体は、拭くということに対しては作用せず、拭く必要があるところを汚してしまうことさえある。
本考案は、従来の携帯に便利な流体を充填する管物件の上記した欠点に鑑みてなされたものである。  
【先行技術文献】
【特許文献】
【０００６】
【特許文献１】中国特許２００９２０１８７９１８．６
【考案の概要】
【考案が解決しようとする課題】
【０００７】
本考案が解決しようとする課題は、現在の技術的不足点を解決し、一段と改善した携帯に便利な流体充填する管状物を提供することで、管状物の端部に、良好な密封部品を備え、いかなる状態であっても、管状物内の液体は、流動或いは揮発しないことを保証し、管状物に少しの処理を行えば即使用することができる携帯に便利な流体を充填する管物件を  提供することである。
【課題を解決するための手段】
【０００８】
本考案は以下の技術的措置を持って実現する。携帯に便利な流体を充填する管物件は、内部に流体を蓄える管状物を備え、該管状物の端口上には、ワンポイントカット(カット溝)を備える密封蓋を溶封し、該管状物の一方の端口には、密封キャップを設置し、該管状物の端口と該密封キャップの内側に設置する凸状フランジと相互に密接し、該密封キャップの凸状フランジは、該密封キャップの外側に設置し、これにより該密封キャップは、管状物の一方の端口内部に設置され、該密封キャップ外側の凸状フランジにより、管状物の端口の内部と相互に密接し、上記した技術を採用したことで、正常な状態においては、ワンポイントカット(カット溝)を備える密封蓋を利用し、該管状物の端口に蓋をし、或いは、該管状物の一端は、ワンポイントカット(カット溝)を備える密封蓋を利用して密封され、反対端は、凸状フランジを備える密封キャップにより、該管状物は緊密に密封され、該管状物内の流体は、流動或いは揮発することがなく、該管状物の携帯、輸送、保管に非常に便利で、使用時には、力を入れて該密封蓋上のワンポイントカット(カット溝)を開き、或いは力を入れて該密封蓋と該管状物の連接位置を剥がし、或いは該凸状フランジを備える密封キャップを同時に緩めれば、大気は管状物に進入し、該管状物内の流体は流動を生じ、該管状物の一方の端口からスムーズに流出し、使用が非常に便利で、汚染が発生しにくく、該管状物内には、拭くための液体が１種類あるだけで、フローティングキャップを構成する液体はなく、このため、管状物の組み立てが非常に便利で、しかも液体が漏れて不要なところを汚すという現象は発生しない。
【考案の効果】
【０００９】
本考案の携帯に便利な流体を充填する管物件は、管状物の携帯、輸送、保管、使用に非常に便利で、また管状物内には、拭くための液体が１種類あるだけで、フローティングキャップを構成する液体はなく、このため、管状物の組み立てが非常に便利で、しかも液体が漏れて不要なところを汚すという現象は発生しない。
【図面の簡単な説明】
【００１０】
【図１】本考案第一実施例の組合せ断面図である。
【図２】本考案第一実施例の一端の拡大図である。
【図３】本考案第二実施例の組合せ断面図である。
【図４】本考案第二実施例において、密封キャップの凸状フランジと管状物の端口外縁部の局部断面拡大図である。
【図５】本考案第三実施例の組合せ断面図である。
【図６】本考案第三実施例において、密封キャップの凸状フランジと管状物の端口内縁部の局部断面拡大図である。
【考案を実施するための形態】
【００１１】
以下に図面を参照しながら本考案を実施するための最良の形態について詳細に説明する。
【実施例】
【００１２】
図１、２に示すように、本考案携帯に便利な流体を充填する管物件の第一実施例は、管状物１を備える。管状物１内部には、水薬、アルコール、化粧品などの流動性が良好な流体２を充填する。管状物１の端口上全体は、密封蓋３で蓋をする。しかも、密封蓋３は、管状物１上に十分に緊密で、外部大気圧力の管状物１内流体２に対する影響を遮断することができ、さらに流体２は、外に流れ出すことはない。密封蓋３上には、ワンポイントカット(カット溝)４を備える。
【００１３】
管状物を使用する時には、力を入れて、密封蓋３上のワンポイントカット(カット溝)４を開く。すると、大気が管状物１中に進入し、管内の流体２は、下方への流動を生じ、
こうして拭くという目的を達成することができる。
【００１４】
次に図３、４に示すように、本考案携帯に便利な流体を充填する管物件の第二実施例において、その構造は、上記した第一実施例と基本的に相同である。
両者の差異は、管状物の端口部位の密封形式の違いである。管状物１の一方の端口(下部端口)は、密封蓋３で蓋をし、しかも加熱溶封方式を用い、密封蓋３を管状物１上に緊密に密封させる。
こうして、外部大気圧力の管状物１内流体２に対する影響を遮断することができ、さらに流体２は、外に流れ出すことはない。反対側の端口(上部端口)外には、密封キャップ５を備える。
密封キャップ５の内側には、凸状フランジ５１を備え、凸状フランジ５１と管状物１とは緊密に密封される。管状物を使用する時には、力を入れて密封蓋３と管状物１との連接位置を剥がす。すると、大気は管状物１中に進入し、管状物１内の流体２は下方へと流動し、こうして拭くという目的を達成することができる。  
またはワンポイントカット(カット溝)を開くと同時に、反対側の端口上の密封キャップ５をいくらか緩めれば、同様に、管状物１内の流体２を、下方へと流動させる目的を達成することができる。
【００１５】
図５、６に示すように、本考案携帯に便利な流体を充填する管物件の第三実施例において、その構造は、上記した第二実施例と基本的に相同である。両者の差異は、管状物の端口部位の密封形式の違いである。管状物１の一方の端口(下部端口)は、密封蓋３で蓋をし、しかも加熱溶封方式を用い、密封蓋３を管状物１上に緊密に密封させる。
こうして、外部大気圧力の管状物１内流体２に対する影響を遮断することができ、さらに流体２は、外に流れ出すことはない。
密封蓋３上には、ワンポイントカット(カット溝)４を備える。反対側の端口(上部端口)内には、密封キャップ５を備える。密封キャップ５の外側には、凸状フランジ５１を備え、凸状フランジ５１と管状物１とは緊密に密封される。管状物を使用する時には、力を入れて、密封蓋３上のワンポイントカット(カット溝)４を開く。
すると、大気は管状物１中に進入し、管状物１内の流体２は下方へと流動し、こうして拭くという目的を達成することができる。或いは、ワンポイントカット(カット溝)４を開くと同時に、反対側の端口上の密封キャップ５をいくらか緩めれば、同様に、管状物１内の流体２を、下方へと流動させる目的を達成することができる。
【００１６】
上記の本考案名称と内容は、本考案技術内容の説明に用いたのみで、本考案を限定するものではない。本考案の精神に基づく等価応用或いは部品（構造）の転換、置換、数量の
増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１  管状物
２  流体
３  密封蓋
４  ワンポイントカット(カット溝)
５  密封キャップ
５１  凸状フランジ
５２  持ち手
【図１】
0003170717.tif 000003
【図２】
0003170717.tif 000004
【図３】
0003170717.tif 000005
【図４】
0003170717.tif 000006
【図５】
0003170717.tif 000007
【図６】
0003170717.tif 000008
【手続補正書】
【提出日】平成23年7月27日(2011.7.27)
【手続補正１】
【補正対象書類名】明細書
【補正対象項目名】全文
【補正方法】変更
【補正の内容】
【考案の詳細な説明】
【技術分野】
【０００１】  本考案は携帯に便利な流体を充填管に関し、特に改善型の携帯に便利な流体を充填する管に関する。
【背景技術】
【０００２】  本考案の提示前、電子産業のような、或いは美容、メイク直しにおいて皮膚表面などを拭く必要がある場合には、瓶詰めの液体とコットン、スポンジなどの多孔材料を備えるスティクが使用される。液体を充填したボトルを開け、スティク上の多孔材料を液体につければ、これで拭く必要を満たすことができる。  しかし、このような操作はどちらかというと面倒である、多孔材料が液体を多く含み過ぎることもあり、不注意でボトルを倒してしまえば、液体は他のところに流れて行ってしまい、不要なところまで汚してしまう。【０００３】  従来の液体を充填する管状容器では、管の一端を塞ぎ、反対端は大気と通じる状態とし、塞ぎ口付近の管上には、断裂痕を設置する。該構造では、管の一端は塞がれているため、管内の液体は流出しにくい。使用時には、管のワンポイントカット(カット溝)に力を加えれば、管を折ることができ、こうして折れたところ、或いは反対端から液体を流出させることができる。  上記した構造は、管状物の携帯、輸送、保管を非常に便利にしている。しかし、管状物を折る方式で液体を取り出す必要があるため、大多数の使用者にとっては、便利とはいえない。  すなわち、管を折る際、注意が少しでも不十分であれば、液体が漏れ出してしまい、他の物品を汚損してしまう恐れがある。【０００４】  これに対して、特許文献１が開示する携帯に便利な液体を充填する管は、内部に２種の流体を充填する管を備え、フローティングキャップを構成する液体は、管状物の下端管口付近に位置し、しかも管状物内の流体と緊密に接触する。管状物の上端には、密封蓋を備え、密封蓋上には凸状フランジを備える。  凸状フランジと管状物の上端とは、互いに密接する。【０００５】  上記した構造においては、正常な状態であれば、密封蓋を利用し、管状物の一端を封鎖することができ、該密封蓋上の凸状フランジを利用し、管状物の上端を十分に密封することができる。これにより、管状物内の流体は、流動或いは揮発することはない。密封蓋を開いて大気を管状物に進入させると、管状物内の流体とフローティングキャップとは、流動を生じ、管状物の反対端口からスムーズに流出する。このように上記した構造は、管状物の携帯、輸送、保管、使用ともに非常に便利である。しかも、密封蓋は繰り返し使用が可能であるため、環境に負荷をかけることもない。しかし、管状物内部の流体に損失を及ぼさないよう、管状物の携帯、輸送、保管の面における安全性を保証するため、管状物上端の密封蓋上の凸状フランジと管状物との間は、十分に緊密で、ほとんど「静的密封(Static)」のレベルに達している必要がある。しかし、このような「静的密封」は、管状物の使用においては、非常に不便で、比較的大きな力を加えなければ、密封蓋を開けることはできない。また、管状物内において、フローティングキャップを構成する液体は、拭くということに対しては作用せず、拭く必要があるところを汚してしまうことさえある。  本考案は、従来の携帯に便利な流体を充填する管の上記した欠点に鑑みてなされたものである。  
【先行技術文献】
【特許文献】
【０００６】
【特許文献１】中国特許２００９２０１８７９１８．６
【考案の概要】
【考案が解決しようとする課題】
【０００７】  本考案が解決しようとする課題は、現在の技術的不足点を解決し、一段と改善した携帯に便利な流体充填する管状物を提供することで、管状物の端部に、良好な密封部品を備え、いかなる状態であっても、管状物内の液体は、流動或いは揮発しないことを保証し、管状物に少しの処理を行えば即使用することができる携帯に便利な流体を充填する管を提供することである。
【課題を解決するための手段】
【０００８】  本考案は以下の技術的措置を持って実現する。携帯に便利な流体を充填する管は、内部に流体を蓄える管状物を備え、該管状物の端口上には、ワンポイントカット(カット溝)を備える密封蓋を溶封し、該管状物の一方の端口には、密封キャップを設置し、該管状物の端口と該密封キャップの内側に設置する凸状フランジと相互に密接し、該密封キャップの凸状フランジは、該密封キャップの外側に設置し、これにより該密封キャップは、管状物の一方の端口内部に設置され、該密封キャップ外側の凸状フランジにより、管状物の端口の内部と相互に密接し、上記した技術を採用したことで、正常な状態においては、ワンポイントカット(カット溝)を備える密封蓋を利用し、該管状物の端口に蓋をし、或いは、該管状物の一端は、ワンポイントカット(カット溝)を備える密封蓋を利用して密封され、反対端は、凸状フランジを備える密封キャップにより、該管状物は緊密に密封され、該管状物内の流体は、流動或いは揮発することがなく、該管状物の携帯、輸送、保管に非常に便利で、使用時には、力を入れて該密封蓋上のワンポイントカット(カット溝)を開き、或いは力を入れて該密封蓋と該管状物の連接位置を剥がし、或いは該凸状フランジを備える密封キャップを同時に緩めれば、大気は管状物に進入し、該管状物内の流体は流動を生じ、該管状物の一方の端口からスムーズに流出し、使用が非常に便利で、汚染が発生しにくく、該管状物内には、拭くための液体が１種類あるだけで、フローティングキャップを構成する液体はなく、このため、管状物の組み立てが非常に便利で、しかも液体が漏れて不要なところを汚すという現象は発生しない。
【考案の効果】
【０００９】  本考案の携帯に便利な流体を充填する管は、管状物の携帯、輸送、保管、使用に非常に便利で、また管状物内には、拭くための液体が１種類あるだけで、フローティングキャップを構成する液体はなく、このため、管状物の組み立てが非常に便利で、しかも液体が漏れて不要なところを汚すという現象は発生しない。
【図面の簡単な説明】
【００１０】
【図１】本考案第一実施例の組合せ断面図である。
【図２】本考案第一実施例の一端の拡大図である。
【図３】本考案第二実施例の組合せ断面図である。
【図４】本考案第二実施例において、密封キャップの凸状フランジと管状物の端口外縁部の局部断面拡大図である。
【図５】本考案第三実施例の組合せ断面図である。
【図６】本考案第三実施例において、密封キャップの凸状フランジと管状物の端口内縁部の局部断面拡大図である。
【考案を実施するための形態】
【００１１】  以下に図面を参照しながら本考案を実施するための最良の形態について詳細に説明する。
【実施例】
【００１２】  図１、２に示すように、本考案携帯に便利な流体を充填する管の第一実施例は、管状物１を備える。管状物１内部には、水薬、アルコール、化粧品などの流動性が良好な流体２を充填する。管状物１の端口上全体は、密封蓋３で蓋をする。しかも、密封蓋３は、管状物１上に十分に緊密で、外部大気圧力の管状物１内流体２に対する影響を遮断することができ、さらに流体２は、外に流れ出すことはない。密封蓋３上には、ワンポイントカット(カット溝)４を備える。【００１３】  管状物を使用する時には、力を入れて、密封蓋３上のワンポイントカット(カット溝)４を開く。すると、大気が管状物１中に進入し、管内の流体２は、下方への流動を生じ、こうして拭くという目的を達成することができる。【００１４】  次に図３、４に示すように、本考案携帯に便利な流体を充填する管の第二実施例において、その構造は、上記した第一実施例と基本的に相同である。  両者の差異は、管状物の端口部位の密封形式の違いである。管状物１の一方の端口(下部端口)は、密封蓋３で蓋をし、しかも加熱溶封方式を用い、密封蓋３を管状物１上に緊密に密封させる。  こうして、外部大気圧力の管状物１内流体２に対する影響を遮断することができ、さらに流体２は、外に流れ出すことはない。反対側の端口(上部端口)外には、密封キャップ５を備える。  密封キャップ５の内側には、凸状フランジ５１を備え、凸状フランジ５１と管状物１とは緊密に密封される。管状物を使用する時には、力を入れて密封蓋３と管状物１との連接位置を剥がす。すると、大気は管状物１中に進入し、管状物１内の流体２は下方へと流動し、こうして拭くという目的を達成することができる。    またはワンポイントカット(カット溝)を開くと同時に、反対側の端口上の密封キャップ５をいくらか緩めれば、同様に、管状物１内の流体２を、下方へと流動させる目的を達成することができる。【００１５】  図５、６に示すように、本考案携帯に便利な流体を充填する管の第三実施例において、その構造は、上記した第二実施例と基本的に相同である。両者の差異は、管状物の端口部位の密封形式の違いである。管状物１の一方の端口(下部端口)は、密封蓋３で蓋をし、しかも加熱溶封方式を用い、密封蓋３を管状物１上に緊密に密封させる。  こうして、外部大気圧力の管状物１内流体２に対する影響を遮断することができ、さらに流体２は、外に流れ出すことはない。  密封蓋３上には、ワンポイントカット(カット溝)４を備える。反対側の端口(上部端口)内には、密封キャップ５を備える。密封キャップ５の外側には、凸状フランジ５１を備え、凸状フランジ５１と管状物１とは緊密に密封される。管状物を使用する時には、力を入れて、密封蓋３上のワンポイントカット(カット溝)４を開く。  すると、大気は管状物１中に進入し、管状物１内の流体２は下方へと流動し、こうして拭くという目的を達成することができる。或いは、ワンポイントカット(カット溝)４を開くと同時に、反対側の端口上の密封キャップ５をいくらか緩めれば、同様に、管状物１内の流体２を、下方へと流動させる目的を達成することができる。【００１６】  上記の本考案名称と内容は、本考案技術内容の説明に用いたのみで、本考案を限定するものではない。��考案の精神に基づく等価応用或いは部品（構造）の転換、置換、数量の増減はすべて、本考案の保護範囲に含むものとする。
【産業上の利用可能性】
【００１７】  本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】１  管状物２  流体３  密封蓋４  ワンポイントカット(カット溝) ５  密封キャップ５１  凸状フランジ５２  持ち手
【手続補正２】
【補正対象書類名】実用新案登録請求の範囲
【補正対象項目名】全文
【補正方法】変更
【補正の内容】
【実用新案登録請求の範囲】
【請求項１】
携帯に便利な流体を充填する管は、管状物、密封蓋、密封キャップを備え、前記管状物内部には、流体を充填し、前記密封蓋は、加熱溶封方式により、前記管状物の一方の端口上に密封し、前記密封キャップは、前記管状物の他方の端口に組合わせて設置し、凸状フランジを備えることを特徴とする携帯に便利な流体を充填する管。
【請求項２】
前記密封蓋上には、刻み目を設置することを特徴とする請求項１に記載の携帯に便利な流体を充填する管。
【請求項３】
前記密封キャップ上の凸状フランジと、前記管状物とは、相互に対応することを特徴とする請求項１に記載の携帯に便利な流体を充填する管。
【請求項４】
前記密封キャップは、前記管状物の一方の端口の外部に組合わせて設置し、前記密封キャップ上の凸状フランジは、前記密封キャップの内側に設置し、前記管状物の端口外部と、相互に密封することを特徴とする請求項１に記載の携帯に便利な流体を充填する管。
【請求項５】
前記密封キャップは、前記管状物の一方の端口の内部に組合わせて設置し、前記密封キャップ上の凸状フランジは、前記密封キャップの外側に設置し、前記管状物の端口内部と、相互に対応することを特徴とする請求項１に記載の携帯に便利な流体を充填する管。